(57)【特許請求の範囲】
【請求項１】
左右の前輪（１０）及び左右の後輪（１１）を備えた走行車体（２）の後部に昇降リンク機構（３）を介して昇降する苗植付部（４）と、圃場面を均す整地装置（２７）を設けた苗移植機において、
前記左右の前輪（１０）を操向操作するハンドル（３４）を走行車体（２）上に設け、
前記整地装置（２７）を支持する整地支持フレーム（７６）を設け、該整地支持フレーム（７６）よりも機体前側に整地装置（２７）を設け、
該整地装置（２７）は、前記走行車体（２）の左右方向の中央に設けるセンターロータ（２７ｂ）と、該センターロータ（２７ｂ）の左右両側で且つ機体後側に設ける左右のサイドロータ（２７ａ）と、該センターロータ（２７ｂ）と左右のサイドロータ（２７ａ）を連結する左右のロータ伝動ケース（７３）で構成し、
前記左右のサイドロータ（２７ａ）と整地支持フレーム（７６）の左右両側を連結する左右の第１整地回動アーム（７５ａ）を設け、
該左右の第１整地回動アーム（７５ａ）の左右間に左右のサイドロータ（２７ａ）と整地支持フレーム（７６）を連結する第２整地回動アーム（７５ｂ）を設け、
該第２整地回動アーム（７５ｂ）に前記整地装置（２７）を昇降させる整地上下動装置（７７）を設け、
前記整地上下動装置（７７）は、前記苗植付部（４）に配置する上下動アクチュエータ（７９）と扇形ギア（８０）で構成し、該扇形ギア（８０）と前記第２整地回動アーム（７５ｂ）を吊上げアーム（８１）で連結し、
前記苗植付部（４）に植付駆動力を供給する複数の植付伝動ケース（５０）を設け、前記左右のサイドロータ（２７ａ）の後方に各々サイドフロート（５６）を配置し、該左右のサイドフロート（５６）間で且つセンターロータ（２７ｂ）の後方に圃場の高さを検知するセンターフロート（５５）を配置し、
前記左右の第１整地回動アーム（７５ａ）に前方に突出する左右の第３整地回動アーム（７５ｃ）を各々前側に向けて設け、該左右の第３整地回動アーム（７５ｃ）を補強フレーム（８２）で連結し、該補強フレーム（８２）の左右方向中央部に前記センターフロート（５５）の上方を跨ぐ屈曲部を形成し、
前記第２整地回動アーム（７５ｂ）から左右中央側に延びる連結部材（７１）を設け、該連結部材（７１）に前記吊上げアーム（８１）の下端を連結し、
左右一方のロータ伝動ケース（７３）に設けたステーと吊上げアーム（８１）に設けたステーとの間に、前記センターロータ（２７ｂ）を吊り下げる吊下げスプリング（７８）を設け、
ハンドル（３４）の操舵を検知するハンドル操舵検知手段（９６）を設け、
該ハンドル操舵検知手段（９６）により旋回と見なし得る操舵角度が検知されると苗植付部（４）を上昇させると共に、整地上下動装置（７７）を作動させて整地装置（２７）を上昇させる上昇制御を行う制御装置（１００）を設け、
苗植付部（４）の苗載台（５１）を支持する門型の支持枠体（６５）を設け、
昇降リンク機構（３）は走行車体（２）側に連結する上リンク（４０）及び下リンク（４１）と、上下のリンク（４０，４１）の先端部に連結し、苗植付部（４）を支持する縦リンク（４３）とを備えた平行リンク構成であって、
前記縦リンク（４３）を前記門型の支持枠体（６５）の内側に配置したことを特徴とする苗移植機。
【請求項２】
前記整地装置（２７）は、整地上下動装置（７７）により整地支持フレーム（７６）を中心として回動することで昇降する構成であり、
圃場面を均すレーキ（８３）を、取付片（８３ａ）を介して整地支持フレーム（７６）の機体後側に取り付け、整地装置（２７）を非作業位置に上昇させるとレーキ（８３）が接地し、整地装置（２７）を作業位置に下降させるとレーキ（８３）が圃場面から離間する構成としたことを特徴とする請求項１に記載の苗移植機。
【請求項３】
前記吊上げアーム（８１）に設けたステーは複数あり、該複数のステーに前記吊下げスプリング（７８）を選択的に取り付け、
整地装置（２７）の上昇時に吊下げスプリング（７８）近傍に設けた接触ローラが昇降リンク機構（３）の下リンク（４１）に接触し、センターロータ（２７ｂ）が左右のサイドロータ（２７ａ）よりも下方に位置する構成としたことを特徴とする請求項１または２に記載の苗移植機。
【請求項４】
苗植付部（４）の上リンク（４０）が所定高さ以上に回動すると検知する昇降検知手段（９２）を設け、
前記制御装置（１００）は、前記上昇制御時に、昇降検知手段（９２）の検知よりも先に整地上下動装置（７７）を作動させて整地装置（２７）を上昇させる制御を行う構成としたことを特徴とする請求項１から請求項３の何れか１項に記載の苗移植機。
【発明の詳細な説明】
【技術分野】
【０００１】
本発明は、対地作業装置付きの苗移植機に関する。
【背景技術】
【０００２】
フロート付きの苗植付装置を備えた苗移植機において、苗植付装置による苗植付の直前に圃場を均平化するためのロータを備えた構成が知られている。  
【先行技術文献】
【特許文献】
【０００３】
【特許文献１】特開２０１２−１７９０１４号公報
【発明の概要】
【発明が解決しようとする課題】
【０００４】
特許文献１に示される苗移植機には、苗の植付位置を整地する中央と左右の整地ロータが設けられており、この整地ロータで圃場の凹凸を均すことにより、苗の植付深さを安定させている。
【０００５】
しかしながら、特許文献１の苗移植機の整地ロータは、左右のロータを苗植付部に設けたロータ吊下げフレームで支持し、中央のロータは左右のロータ伝動ケースを介して左右のロータに支持される構成としているので、ロータ同士の連結が弱く、圃場に深く潜り込んで過負荷が掛かる状況において、破損しやすい問題がある。
【０００６】
特に、中央のロータは、苗植付部に設ける吊下げスプリングで連結はされているものの、苗植付部を上昇させて非作業位置に移動させた際、中央のロータ（整地装置）が下方に垂れ下がり、圃場面に接触することがある。苗移植機の旋回時等に中央のロータが圃場面に接触していると、引き摺られた中央のロータが破損する問題が生じると共に、中央のロータが圃場面を荒らし、圃場の隅、即ち枕地に苗を植え付ける際に大きな凹凸となり、苗の植付深さが浅くなり過ぎたり深くなり過ぎたりする問題がある。
【０００７】
本発明の課題は、旋回時を含めて不安定になりがちな整地装置の支持を確実に行うことができる、対地作業用の旋回ロータを備えた苗移植機を提供することである。
【課題を解決するための手段】
【０００８】
本発明の上記課題は、次の解決手段で解決される。  
請求項１記載の発明は、左右の前輪（１０）及び左右の後輪（１１）を備えた走行車体（２）の後部に昇降リンク機構（３）を介して昇降する苗植付部（４）と、圃場面を均す整地装置（２７）を設けた苗移植機において、前記左右の前輪（１０）を操向操作するハンドル（３４）を走行車体（２）上に設け、前記整地装置（２７）を支持する整地支持フレーム（７６）を設け、該整地支持フレーム（７６）よりも機体前側に整地装置（２７）を設け、該整地装置（２７）は、前記走行車体（２）の左右方向の中央に設けるセンターロータ（２７ｂ）と、該センターロータ（２７ｂ）の左右両側で且つ機体後側に設ける左右のサイドロータ（２７ａ）と、該センターロータ（２７ｂ）と左右のサイドロータ（２７ａ）を連結する左右のロータ伝動ケース（７３）で構成し、前記左右のサイドロータ（２７ａ）と整地支持フレーム（７６）の左右両側を連結する左右の第１整地回動アーム（７５ａ）を設け、該左右の第１整地回動アーム（７５ａ）の左右間に左右のサイドロータ（２７ａ）と整地支持フレーム（７６）を連結する第２整地回動アーム（７５ｂ）を設け、該第２整地回動アーム（７５ｂ）に前記整地装置（２７）を昇降させる整地上下動装置（７７）を設け、前記整地上下動装置（７７）は、前記苗植付部（４）に配置する上下動アクチュエータ（７９）と扇形ギア（８０）で構成し、該扇形ギア（８０）と前記第２整地回動アーム（７５ｂ）を吊上げアーム（８１）で連結し、前記苗植付部（４）に植付駆動力を供給する複数の植付伝動ケース（５０）を設け、前記左右のサイドロータ（２７ａ）の後方に各々サイドフロート（５６）を配置し、該左右のサイドフロート（５６）間で且つセンターロータ（２７ｂ）の後方に圃場の高さを検知するセンターフロート（５５）を配置し、前記左右の第１整地回動アーム（７５ａ）に前方に突出する左右の第３整地回動アーム（７５ｃ）を各々前側に向けて設け、該左右の第３整地回動アーム（７５ｃ）を補強フレーム（８２）で連結し、該補強フレーム（８２）の左右方向中央部に前記センターフロート（５５）の上方を跨ぐ屈曲部を形成し、前記第２整地回動アーム（７５ｂ）から左右中央側に延びる連結部材（７１）を設け、該連結部材（７１）に前記吊上げアーム（８１）の下端を連結し、左右一方のロータ伝動ケース（７３）に設けたステーと吊上げアーム（８１）に設けたステーとの間に、前記センターロータ（２７ｂ）を吊り下げる吊下げスプリング（７８）を設け、ハンドル（３４）の操舵を検知するハンドル操舵検知手段（９６）を設け、該ハンドル操舵検知手段（９６）により旋回と見なし得る操舵角度が検知されると苗植付部（４）を上昇させると共に、整地上下動装置（７７）を作動させて整地装置（２７）を上昇させる上昇制御を行う制御装置（１００）を設け、苗植付部（４）の苗載台（５１）を支持する門型の支持枠体（６５）を設け、昇降リンク機構（３）は走行車体（２）側に連結する上リンク（４０）及び下リンク（４１）と、上下のリンク（４０，４１）の先端部に連結し、苗植付部（４）を支持する縦リンク（４３）とを備えた平行リンク構成であって、前記縦リンク（４３）を前記門型の支持枠体（６５）の内側に配置したことを特徴とする苗移植機である。
【０００９】
請求項２記載の発明は、前記整地装置（２７）は、整地上下動装置（７７）により整地支持フレーム（７６）を中心として回動することで昇降する構成であり、圃場面を均すレーキ（８３）を、取付片（８３ａ）を介して整地支持フレーム（７６）の機体後側に取り付け、整地装置（２７）を非作業位置に上昇させるとレーキ（８３）が接地し、整地装置（２７）を作業位置に下降させるとレーキ（８３）が圃場面から離間する構成としたことを特徴とする請求項１に記載の苗移植機である。
【００１０】
請求項３記載の発明は、前記吊上げアーム（８１）に設けたステーは複数あり、該複数のステーに前記吊下げスプリング（７８）を選択的に取り付け、整地装置（２７）の上昇時に吊下げスプリング（７８）近傍に設けた接触ローラが昇降リンク機構（３）の下リンク（４１）に接触し、センターロータ（２７ｂ）が左右のサイドロータ（２７ａ）よりも下方に位置する構成としたことを特徴とする請求項１または２に記載の苗移植機である。
【００１１】
請求項４記載の発明は、苗植付部（４）の上リンク（４０）が所定高さ以上に回動すると検知する昇降検知手段（９２）を設け、前記制御装置（１００）は、前記上昇制御時に、昇降検知手段（９２）の検知よりも先に整地上下動装置（７７）を作動させて整地装置（２７）を上昇させる制御を行う構成としたことを特徴とする請求項１から請求項３の何れか１項に記載の苗移植機である。
【００１２】
（削除）
【００１３】
（削除）
【００１４】
（削除）
【発明の効果】
【００１５】
請求項１記載の発明によれば、整地支持フレーム（７６）が整地装置（２７）を後方から支持することにより、整地装置（２７）が圃場面から受ける抵抗を整地支持フレーム（７６）で受けることができるので、整地装置（２７）が抵抗に負けて浮き上がることが防止され、確実に圃場面の凹凸が均される。
【００１６】
また、１つの整地支持フレーム（７６）で整地装置（２７）を支持することにより、苗植付部（４）を上昇させて整地装置（２７）が圃場面に接地しなくなったときに、整地装置（２７）が自重で垂れ下がることを防止できるので、走行車体（２）の旋回時や非植付作業時に垂れ下がった整地装置（２７）が圃場面に接触して破損したり、圃場面を荒らしたりすることが防止され、苗の植付精度が従来よりも向上する。
そして、整地装置（２７）と整地支持フレーム（７６）を、左右両側部に設ける左右の第１整地回動アーム（７５ａ）と左右の第１整地回動アーム（７５ａ）の間に設ける左右の第２整地回動アーム（７５ｂ）で連結したことにより、整地装置（２７）が左右方向の複数個所で支持されるので、接地抵抗により整地装置（２７）が持ち上がって整地されなくなることが防止され、整地性や苗の植付精度が従来よりも向上する。
さらに、第２整地回動アーム（７５ｂ）に整地上下動装置（７７）を設け、走行車体（２）の中央寄りの位置で整地装置（２７）を昇降させることにより、整地装置（２７）を昇降させる際に全体を略均一に昇降させることができるので、整地装置（２７）の一部が上昇し切らず、圃場面に接触して破損することが防止される。
【００１７】
また、整地上下動装置（７７）と第２整地回動アーム（７５ｂ）を吊上げアーム（８１）で連結したことにより、整地上下動装置（７７）の昇降操作に合わせて整地装置（２７）の作業高さを変更することができるので、圃場面の整地性や苗の植付精度が向上する。
【００１８】
また、非整地作業時には整地装置（２７）を圃場面から離間させることができるので、圃場面を荒したり、整地装置（２７）が圃場面との接触で破損することが防止される。
【００１９】
更に、センターロータ（２７ｂ）及び左右のサイドロータ（２７ａ）が左右方向の複数個所で支持されるので、接地抵抗によりセンターロータ（２７ｂ）及び左右のサイドロータ（２７ａ）が持ち上がることが防止され、整地性や苗の植付精度が従来より向上する。
【００２０】
また、整地装置（２７）の前側を補強フレーム（８２）で連結したことにより、整地装置（２７）の構成部材同士の連結を強固にすることができるので、整地装置（２７）が圃場面との接触抵抗で破損することが防止されると共に、整地装置（２７）を非作業位置に移動させる際に整地装置（２７）全体が一体に持ち上がるので、整地装置（２７）の一部が圃場に入り込み、圃場面を荒らすことが防止される。
【００２１】
また、補強フレーム（８２）の左右方向中央部に、センターフロート（５５）の上方を跨ぐ屈曲部を形成したことにより、圃場の凹凸によるセンターフロート（５５）の上下回動範囲が規制されないので、センターフロート（５５）が正確に圃場の凹凸に合わせて回動し、苗植付部（４）の苗植付深さが安定すると共に、整地装置（２７）の整地性が向上する。
【００２２】
そして、苗移植機の旋回時に、ハンドル（３４）の操舵に連動して、苗植付部（４）を上昇させると共に、整地上下動装置（７７）を作動させて整地装置（２７）を上昇させるので、整地装置（２７）が圃場面を荒らすことが防止され、苗の植付深さが安定する。
【００２３】
請求項２記載の発明によれば、請求項１に記載の発明の効果に加えて、整地装置（２７）を非作業位置に上昇させるとレーキ（８３）が接地するので、整地装置（２７）を作用させるとかえって圃場面が崩れやすい土質の圃場でも、レーキ（８３）により整地することができ、苗の植付深さ及び植付位置が安定する。
また、整地装置（２７）を作業位置に下降させると、レーキ（８３）が圃場面から離間するので、圃場面が過度に均されることを防止できる。
【００２４】
請求項３記載の発明によれば、請求項１又は請求項２に記載の発明の効果を有する。
また、請求項４記載の発明によっても、請求項１又は請求項２に記載の発明の効果を有する。
【図面の簡単な説明】
【００２５】
【図１】本発明の実施例の乗用型苗移植機の側面図である。
【図２】図１の乗用型苗移植機の平面図である。
【図３】図１の乗用型苗移植機のロータ支持構造の要部側面図である。
【図４】図１の乗用型苗移植機の苗植付部の主要部平面図である。
【図５】図１の乗用型苗移植機の苗植付部の主要部平面図である。
【図６】図１の乗用型苗移植機のレーキの取付構造の斜視図である。
【図７】図１の乗用型苗移植機のロータと植付伝動フレームとレーキの取付構造の側面図である。
【図８】図１の乗用型苗移植機の整地上下動装置部分のロータが作用位置にある場合の側面図である。
【図９】図１の乗用型苗移植機の整地上下動装置部分のロータが非作用位置にある場合の側面図である。
【図１０】図１の乗用型苗移植機のレーキのロータ支持フレームへの取付部分の斜視図である。
【図１１】図１の乗用型苗移植機の制御ブロック図である。
【発明を実施するための形態】
【００２６】
以下、図面に基づき、本発明の好ましい実施の形態について説明する。
なお、本明細書では苗移植機の前進方向を前側、後退方向を後側といい、前進方向に向かって左右方向をそれぞれ左側、右側ということにする。
【００２７】
図１及び図２は本発明を用いた一実施例である乗用型苗移植機の側面図と平面図である。この乗用型苗移植機１は、走行車体２の後側に昇降リンク装置３を介して苗植付部４が昇降可能に装着されている。
【００２８】
走行車体２は、駆動輪である左右一対の前輪１０，１０及び左右一対の後輪１１，１１を備えた四輪駆動車両であって、機体の前部にミッションケース１２が配置され、そのミッションケース１２の左右側方に前輪ファイナルケース１３，１３が設けられ、該左右前輪ファイナルケース１３，１３の操向方向を変更可能な各々の前輪支持部から外向きに突出する左右前輪車軸に左右前輪１０，１０が各々取り付けられている。
【００２９】
また、走行車体２の後側に昇降リンク装置３を介して苗植付部４が昇降可能に装着され、走行車体２の後部上側に施肥装置５の本体部分が設けられている。
さらに、ミッションケース１２の背面部にメインフレーム１５の前端部が固着されており、そのメインフレーム１５の後端左右中央部に前後水平に設けた後輪ローリング軸（図示せず）を支点にして後輪ギアケース１８，１８がローリング自在に支持され、その後輪ギアケース１８，１８から外向きに突出する後輪車軸１１ａに後輪１１，１１が取り付けられている。
【００３０】
エンジン２０はメインフレーム１５の上に搭載されており、該エンジン２０の回転動力が、静油圧式無段変速装置（ＨＳＴ）２３などを介してミッションケース１２に伝達される。ミッションケース１２に伝達された回転動力は、該ケース１２内のトランスミッションにより変速された後、走行動力と外部取出動力に分離して取り出される。
【００３１】
そして、走行動力は、一部が前輪ファイナルケース１３，１３に伝達されて前輪１０，１０を駆動すると共に、残りが後輪ギアケース１８，１８に伝達されて後輪１１，１１を駆動する。また、外部取出動力は、走行車体２の後部に設けた図示しない植付クラッチと植付伝動軸によって苗植付部４へ伝動される。
【００３２】
エンジン２０の上部に座席３１が設置されている。座席３１の前方には各種操作機構を内蔵するフロントカバー３２があり、その上方に前輪１０，１０を操向操作するハンドル３４が設けられている。フロントカバー３２の下端左右両側は水平状のフロアステップ３５になっている。フロアステップ３５は多数の穴が設けられており（図２参照）、該ステップ３５を歩く作業者の靴についた泥が圃場に落下するようになっている。フロアステップ３５上の後部は、後輪フェンダを兼ねるリヤステップ３６となっている。
【００３３】
また、走行車体２の前部左右両側には、補給用の苗を載せておく予備苗載台３８を設けても良い。昇降リンク装置３は平行リンク構成であって、１本の上リンク４０と左右一対の下リンク４１，４１を備えている。これらリンク４０，４１，４１は、その基部側がメインフレーム１５の後端部に立設した背面視門形のリンクベースフレーム４２に回動自在に取り付けられ、その先端側に縦リンク４３が連結されている。
【００３４】
そして、縦リンク４３の下端部に苗植付部４に回転自在に支承された連結軸４４が挿入連結され、前記連結軸４４を中心として苗植付部４がローリング自在に連結されている。
メインフレーム１５に固着した支持部材４２と上リンク４０に一体形成したスイングアーム（図示せず）の先端部との間に昇降用油圧シリンダ４６が設けられており、該シリンダ４６を油圧で伸縮させることにより、上リンク４０が上下に回動し、苗植付部４がほぼ一定姿勢のまま昇降する。
【００３５】
苗植付部４は６条植の構成で、フレームを兼ねる苗植付伝動ケース５０、マット苗を載せて左右往復動し苗を一株分ずつ各条の苗取出口５１ａ，…に供給するとともに横一列分の苗を全て苗取出口５１ａ，…に供給すると苗送りベルト５４，…により苗を下方に移送する苗載台５１、苗取出口５１ａ，…に供給された苗を圃場に植え付ける苗植付装置５２，…、次行程における機体進路を表土面に線引きする左右一対の線引きマーカ（図示せず）等を備えている。
【００３６】
苗植付部４の下部には中央にセンターフロート５５、その左右両側にサイドフロート５６，５６がそれぞれ設けられている。これらフロート５５，５６，５６を、圃場の泥面に接地させた状態で機体を進行させると、フロート５５，５６，５６が泥面を整地しつつ滑走し、その整地跡に苗植付装置５２，…により苗が植付けられる。各フロート５５，５６，５６は圃場表土面の凹凸に応じて前端側が上下動するように回動自在に取り付けられており、植付作業時にはセンターフロート５５の前部の上下動がフロート傾斜角センサ（図示せず）により検出され、その検出結果に応じ前記昇降用油圧シリンダ４６を制御する油圧バルブを切り替えて苗植付部４を昇降させることにより、苗の植付深さを常に一定に維持する。
【００３７】
苗植付部４には整地装置の一例であるロータ２７（２７ａ，２７ｂ）が取り付けられている。また、苗載台５１は苗植付部４の全体を支持する左右方向と上下方向に幅一杯の矩形の支持枠体６５の図示しない支持ローラをレールとして左右方向にスライドする構成である。
【００３８】
施肥装置５は、肥料ホッパ６０に貯留されている粒状の肥料を繰出部６１，…によって一定量ずつ繰り出し、その肥料を施肥ホース６２，…でフロート５５，５６，５６の左右両側に取り付けた施肥ガイド（図示せず），…まで導き、施肥ガイド，…の前側に設けた作溝体６４，…によって苗植付条の側部近傍に形成される施肥溝内に落とし込むようになっている。ブロア用電動モータ５３で駆動するブロア５８で発生させたエアが、左右方向に長いエアチャンバ５９を経由して施肥ホース６２，…に吹き込まれ、施肥ホース６２，…内の肥料を風圧で強制的に搬送するようになっている。
【００３９】
また、線引きアーム６７が機体の両側に設けられている。
図３にロータ支持構造の要部側面を示す。ロータ支持構造には、苗載台５１の支持枠体６５に上端が回動自在に支持される吊上げアーム８１が取り付けられている。該吊上アーム８１の下端は後述する第２整地回動アーム７５ｂに連結部材７１を介して回動自在に支持されている。
【００４０】
ロータ吊下げアーム８１は、支持枠体６５に設けられ、機体左側の第２回動アーム７５ｂに下端部を取り付けている。これにより、ギア８０が動くと、ロータ吊下げアーム８１が上下動する。
【００４１】
センターロータ２７ｂの吊下げスプリング７８は、左側のロータ伝動ケース７３の前側に設けるステーと、ロータ吊下げアーム８１の上部に設けるステーとの間に設ける。吊下げアーム８１側には複数のステーがあり、選択して取り付ける。
【００４２】
縦リンク４３は、門型の支持枠体６５よりも機体内側に設ける。
ロータ吊下げアーム８１を上下動させる上下動アクチュエータ７９は、苗植付部４の昇降操作や、苗植付部４が自動上昇する旋回時、または後進時に作動し、苗植付部４の上下動に合わせて整地ロータ２７の上下位置を自動的に変える。また、植付作業（直進走行）中は、操縦部に設けるダイヤル等を操作すると上下動アクチュエータ７９が作動して整地ロータ２７を任意の高さに設定できる。
【００４３】
旋回時や後進時は、整地ロータ２７が圃場面に接近した状態で機体が移動し、整地ロータ２７が圃場面を荒らす可能性があるので、苗植付部４の上昇が始まると同時に上下動アクチュエータ７９が作動し、ロータ吊下げアーム８１を上昇させる。すると、機体左側のサイドロータ２７ａが持ち上げられ、整地支持フレーム７６を回動中心として右側のサイドロータ２７ａが持ち上がると共に、左右のロータ伝動ケース７３，７３を介してセンターロータ２７ｂが持ち上がる。このとき、センターロータ２７ｂが上昇しすぎると下側のリンクアーム４１を歪めるので、スプリング７８の取付ステー近傍に設ける接触ローラ（図示せず）がリンクアーム４１に接触し、センターロータ２７ｂがサイドロータ２７ａよりも下方に位置する姿勢とする。
【００４４】
一方、整地ロータ２７の下降の際は、苗植付部４の下降段階に合わせて下降し、遅くとも苗植付部４が作業高さまで下降し、苗の植付が開始される段階で整地ロータ２７が圃場面を均し始めるよう下降させる。（整地ロータ２７への伝動は、伝動シャフト７２を介して行うが、苗植付部４を非作業高さ（約３０ｃｍ程度）まで上昇させると伝動が切れ、下降させると伝動が繋がる構成としている。）
つまり、従来構成のように、苗植付部４の上下動に伴い整地ロータ２７も上下動するが、従来構成は機械的な構成により苗植付部４を所定高さまで上昇又は下降すると整地ロータ２７が連動して上昇又は下降していたのに対し、本実施例では苗植付部４を所定高さまで上昇又は下降させると、制御装置１００が上下動アクチュエータ７９を作動させて整地ロータ２７を上昇／下降させる構成となっている。
【００４５】
また、図４の苗植付部４の主要部平面図に示すように、ロータ２７（２７ａ、２７ｂ）を支持するために走行車体横幅方向に一杯の整地支持フレーム７６を設けている。また、整地支持フレーム７６の両端にサイドロータ２７ａ、２７ａを回動自在に支持する第１整地回動アーム７５ａ，７５ａを設けている。
【００４６】
整地回動アーム７５は、整地ロータ２７と整地支持フレーム７６の左右両側部を連結する左右の第１整地回動アーム７５ａと、左右の第１整地回動アーム７５ａの間に設けられ、整地ロータ２７（センターロータ２７ｂ、サイドロータ２７ａ）と整地支持フレーム７６を連結する左右の第２整地回動アーム７５ｂとからなり、左右の第２整地回動アーム７５ｂに整地ロータ２７を上下動させる整地上下動装置７７を設けている。
【００４７】
また、サイドロータ２７ａを、回転駆動する駆動軸７０ａへの動力は、各後輪１１のギアケース１８内のギアからロータ駆動用の伝動シャフト７２（図１、図４）を経由して伝達される。出力シャフト７２を機体後側に向けて設け、駆動軸７０ａには伝動シャフト７２を機体前側に向けて設け、該伝動シャフト７２から駆動力が駆動軸７０ａを経由して左右のサイドロータ２７ａ，２７ａとセンターロータ２７ｂの駆動軸７０ｂに伝達可能に伝達される構成となる。
【００４８】
図４、図３に示すように整地支持フレーム７６が整地ロータ２７（センターロータ２７ｂ、サイドロータ２７ａ）を後方から支持しているので、整地ロータ２７（センターロータ２７ｂ、サイドロータ２７ａ）が圃場面から受ける抵抗を整地支持フレーム７６で受けることができるので、整地ロータ２７（センターロータ２７ｂ、サイドロータ２７ａ）が抵抗に負けて浮き上がることが防止され、確実に圃場面の凹凸が均される。
【００４９】
また、１つの整地支持フレーム７６で整地ロータ２７（センターロータ２７ｂ、サイドロータ２７ａ）を支持することにより、苗植付部４を上昇させて整地ロータ２７が圃場面に接地しなくなったときに整地ロータ２７（センターロータ２７ｂ、サイドロータ２７ａ）が自重で垂れ下がることを防止できるので、走行車体２の旋回時や非植付作業時に垂れ下がった整地ロータ２７（センターロータ２７ｂ、サイドロータ２７ａ）が圃場面に接触して破損したり、圃場面を荒らしたりすることが防止され、苗の植付精度が従来より向上する。
【００５０】
また、図４の苗植付部４の要部平面図に示すように、整地回動アーム７５は、センターロータ２７ｂ及び左右のサイドロータ２７ａ，２７ａと整地支持フレーム７６の左右両側部を連結する左右の第１整地回動アーム７５ａと、左右の第１整地回動アーム７５ａの間に設けられ、ロータ２７と整地支持フレーム７６を連結する左右の第２整地回動アーム７５ｂとからなり、左右の第２整地回動アーム７５ｂに、センターロータ２７ｂ及び左右のサイドロータ２７ａ，２７ａを上下動させる整地上下動装置７７を設けた。
【００５１】
このように、センターロータ２７ｂ及び左右のサイドロータ２７ａ，２７ａと整地支持フレーム７６を、左右両側部に設ける左右の第１整地回動アーム７５ａと、左右の第１整地回動アーム７５ａの間に設ける左右の第２整地回動アーム７５ｂで連結したことにより、センターロータ２７ｂ及び左右のサイドロータ２７ａ，２７ａが左右方向の複数個所で支持されるので、接地抵抗によりセンターロータ２７ｂ及び左右のサイドロータ２７ａ，２７ａが持ち上がることが防止され、整地性や苗の植付精度が従来より向上する。また、第２整地回動アーム７５ｂに整地上下動装置７７を設けたことにより、走行車体２の中央寄りの位置でセンターロータ２７ｂ及び左右のサイドロータ２７ａ，２７ａを昇降させることができるので、センターロータ２７ｂ及び左右のサイドロータ２７ａ，２７ａを昇降させる際に全体が略均一に昇降するため、センターロータ２７ｂ及び左右のサイドロータ２７ａ，２７ａの一部が上昇し切らず圃場面に接触して破損することが防止される。
【００５２】
図８は整地上下動装置７７を苗植付部支持枠体６５に取り付けてセンターロータ２７ｂ及び左右のサイドロータ２７ａ，２７ａが圃場面上にある場合の苗植付部４の要部側面であり、図９は図８のセンターロータ２７ｂ及び左右のサイドロータ２７ａ，２７ａを圃場面から上昇させた場合の苗植付部４の要部側面であり、扇形ギア８０と第２整地回動アーム７５ｂを吊上げアーム８１で連結している。
【００５３】
整地上下動装置７７と第２整地回動アーム７５ｂを吊上げアーム８１で連結したことにより、整地上下動装置７７の昇降操作に合わせてセンターロータ２７ｂ及び左右のサイドロータ２７ａ，２７ａの作業高さを変更することができるので、圃場面の整地性や苗の植付精度が向上する。
【００５４】
また、こうして、非整地作業時にはセンターロータ２７ｂ及び左右のサイドロータ２７ａ，２７ａを圃場面から十分に離間させることができるので、圃場面を荒らしたり、また、センターロータ２７ｂ及び左右のサイドロータ２７ａ，２７ａが圃場面との接触で破損することが防止される。
【００５５】
一方、図５の矢視平面図に示すように、左右のサイドロータ２７ａはセンターロータ２７ｂに左右のロータ伝動ケース７３で連結される構成であり、左右のサイドロータ２７ａの後方に各々サイドフロート５６を配置し、左右のサイドフロート５６及び左右の苗植付伝動ケース５０の間で且つセンターロータ２７ｂの後方に圃場の深さを検知するセンターフロート５５を配置し、左右の第１整地回動アーム７５ａに前方に突出する左右の第３整地回動アーム７５ｃを各々走行車体２の前側に向けて設け、この左右の第３整地回動アーム７５ｃを補強フレーム８２で連結し、補強フレーム８２の左右方向中央部にセンターフロート５５の上方を跨ぐ屈曲部を形成し、平面視で凸形状とした。
【００５６】
このようにセンターロータ２７ｂ及び左右のサイドロータ２７ａ，２７ａの前側を補強フレーム８２で連結したことにより、センターロータ２７ｂ及び左右のサイドロータ２７ａ，２７ａの構成部材同士の連結を強固にすることができるので、センターロータ２７ｂ及び左右のサイドロータ２７ａ，２７ａが圃場面との接触抵抗で破損することが防止されると共に、センターロータ２７ｂ及び左右のサイドロータ２７ａ，２７ａを非作業位置に移動させる際にセンターロータ２７ｂ及び左右のサイドロータ２７ａ，２７ａの全体が一体に持ち上がるので、センターロータ２７ｂ、センターフロート５５の上方を跨ぐ屈曲部を形成したことにより、圃場の凹凸によるセンターフロート５５の上下回動範囲が規制されないので、センターフロート５５が正確に圃場の凹凸に合わせて回動し、苗植付部４の苗植付深さが安定すると共に、センターロータ２７ｂ及び左右のサイドロータ２７ａ，２７ａの整地性が向上する。
【００５７】
なお、センターフロート５５とサイドフロート５６の後側にはフロート浮き上がり防止アーム１９２を設けることがある。
図６の斜視図と、図７の側面図に示すように整地支持フレーム７６に圃場面を均すレーキ８３の上端を、レーキ８３に固着した取付片８３ａを介して固着して取り付けると共に、センターロータ２７ｂ及び左右のサイドロータ２７ａ，２７ａを非作業位置に移動させるとレーキ８３が接地し、センターロータ２７ｂ及び左右のサイドロータ２７ａ，２７ａを作業位置に移動させるとレーキ８３が圃場面から離間するようにレーキ８３を整地支持フレーム７６に取り付けている。
【００５８】
センターロータ２７ｂ及び左右のサイドロータ２７ａ，２７ａを非作業位置に移動させるとレーキ８３が接地して圃場面を均すことにより、駆動回転するセンターロータ２７ｂ及び左右のサイドロータ２７ａ，２７ａを接触させると圃場面が崩れて泥の浮きやすい土質の圃場でも圃場面の整地を行うことができるので、苗の植付深さが安定すると共に、泥が浮き上がらないので、苗の植付状態が把握しやすくなり、苗の植付位置のズレが生じにくくなる。
【００５９】
また、センターロータ２７ｂ及び左右のサイドロータ２７ａ，２７ａを作業位置に移動させるとレーキ８３が圃場面から離間することにより、圃場面が過度に均されることを防止できるので、泥が解され過ぎて浮き上がることが防止され、作業の視認性が確保される。
【００６０】
また、図７の側面図に示すように、センターフロート５５と左右のサイドフロート５６を連結する左右方向に長い植付深さフレーム８５（植付深さフレーム８５内には伝動軸がある）を苗植付伝動ケース５０に取り付け、レーキ８３と植付深さフレーム８５を連結ロッド８６で連結し、苗植付部４の昇降に合わせてレーキ８３を上下回動させる構成としている。こうしてレーキ８３と植付深さフレーム８５を連結ロッド８６で連結し、苗植付部４の昇降に合わせてレーキ８３の姿勢が変更されることにより、レーキ８３とセンターフロート５５及び左右のサイドフロート５６の底面を水平に保つことができるので、均された圃場面に凹凸が生じることが防止され、苗の植付深さが安定する。
【００６１】
図７の側面図に示すように、植付深さフレーム８５に連結ロッド８６を取り付けるための取付ステー８７に取付孔８７ａを複数形成し、複数の取付孔８７ａの中の何れかに連結ロッド８６の一端を取り付けることにより、苗植付部４の昇降量に対応するレーキ８３の回動量を変更することができる。
【００６２】
連結ロッド８６を取り付ける取付ステー８７の取付孔８７ａを選択することにより、苗植付部４の昇降量に対応するレーキ８３の回動量が変更され、圃場の土質や夾雑物（藁屑等）の量に合わせてレーキ８３の回動量を変更することができるので、圃場面の凹凸が均されて苗の植付け深さが揃い易くなると共に、夾雑物がレーキ８３にたまりにくく、整地性が保持される。
【００６３】
図８と図９に示すように、整地上下動装置７７のロータ上下動モータ７９の作動により、扇形ギア８０を回動させて、該扇形ギア８０に上端が回動自在に連結した吊上げアーム８１を上方へ回動し、吊上げアーム８１の下端に回動自在に連結した第２整地回動アーム７５ｂが上方に移動し、この動きに伴ってセンターロータ２７ｂ及び左右のサイドロータ２７ａ，２７ａを上方に上げることができる。
【００６４】
苗植付部４の上昇時には、ロータ上下動モータ７９の作動により扇形ギア８０が回動し、該扇形ギア８０に連結されたロータ吊下げアーム８１が第２整地回動アーム７５ｂを上方回動させ、整地支持アーム７６を介して第１整地回動アーム７５ａを上方回動させることにより、左右のサイドロータ２７ａ，２７ａが上昇し、左右のロータ伝動ケース７３，７３を介して、センターロータ２７ｂが上方回動する。
【００６５】
図１１に示すように、苗植付部４を昇降させる苗植付部昇降スイッチ９１を操縦座席３１の近傍、例えば静油圧式無段変速装置２３の出力を操作する走行レバー９３のグリップ部に設け、該植付部昇降スイッチ９１が操作された際にロータ上下動モータ７９を作動させ、上昇操作であればロータ吊下げアーム８１を上昇させて第１及び第２整地回動アーム７５ａ，７５ｂを上方回動させて整地ロータ２７を上昇させ、下降操作であればロータ吊下げアーム８１を下降させて第１及び第２整地回動アーム７５ａ，７５ｂを下方回動させて整地ロータ２７を下降させる構成としてもよい。
【００６６】
上記の構成により、旋回走行に連動して苗植付部４を昇降させる旋回連動機構や、後進時に自動的に苗植付部４を上昇させる後進連動機構を作動させない状態とし、作業者が苗植付部４の昇降操作や苗植付装置５２の入切操作を手動で行うときに、整地ロータ２７の昇降操作を行なう必要がなく、作業者の手動操作に要する作業量が減少し、操作性が向上する。
上記したように、変形圃場では、場所によっては旋回連動をするとかえって植付精度が悪くなるので、作業者が手作業で作業することがある。
【００６７】
あるいは、上記走行レバー９３の操作量を検知するレバーポテンショメータ９５が、後進方向の操作、即ち基準位置を０度とするとマイナスの角度となるときには、後進とみなして昇降油圧シリンダ４６を作動させると共に、昇降リンクスイッチ９２の検知よりも先にロータ上下動モータ７９を作動させ、ロータ吊下げアーム８１を上昇させ、整地ロータ２７を上昇させる構成としても良い。
【００６８】
上記構成により、後進時に苗植付部４が上昇し始めると同時に整地ロータ２７が上昇し始めるので、整地ロータ２７が圃場面に接触して圃場面を荒らすことが防止され、苗の植付を再開する際に植付深さが安定すると共に、植え付けた苗を整地ロータ２７が押し潰すことが防止され、苗の植え直しが不要となり、苗の消費量を削減できる。
【００６９】
また、圃場端に機体の前端部が位置するまで苗の植付を行い、所定距離後進してから旋回する、所謂ドンヅケ作業においては、最後に苗を植え付ける圃場端、所謂枕地を整地ロータ２７で荒らすことを防止できるので、枕地作業時に整地ロータ２７で圃場面の凹凸を均しきれず苗の植付深さが乱れることが防止される。
【００７０】
もしくは、ハンドル３４の操舵を検知するハンドルポテンショメータ９６を設け、該ハンドルポテンショメータ９６が旋回とみなし得る操舵角度（例：３０〜４５度）を検知すると、旋回とみなして昇降油圧シリンダ４６を作動させると共に、昇降リンクスイッチ９２の検知よりも先にロータ上下動モータ７９を作動させ、ロータ吊下げアーム８１を上昇させ、整地ロータ２７を上昇させる構成としても良い。
【００７１】
上記構成により、旋回時に苗植付部４が上昇し始めると同時に整地ロータ２７が上昇し始めるので、整地ロータ２７が圃場面に接触して圃場面を荒らすことが防止され、苗の植付を再開する際に植付深さが安定すると共に、植え付けた苗を整地ロータ２７が押し潰すことが防止され、苗の植え直しが不要となり、苗の消費量を削減できる。
【００７２】
また、操縦座席３１近傍に設ける図示しないメータパネル上に設けたロータ高さ調節ダイヤルにより、センターロータ２７ｂ及び左右のサイドロータ２７ａ，２７ａを設定高さに調整する構成にしても良い。
【００７３】
手動でロータ高さを設定する場合には、センターロータ２７ｂ及び左右のサイドロータ２７ａ，２７ａを収納位置に移動したままで次の苗植付作業時にセンターロータ２７ｂ及び左右のサイドロータ２７ａ，２７ａを使用できないことがあるが、自動的にセンターロータ２７ｂ及び左右のサイドロータ２７ａ，２７ａを設定高さに調整する構成にすると、そのような不具合を防ぐことができる。
【００７４】
図３の苗植付部４の側面図に示すように、吊上げアーム８１にロータ上下動モータ７９を取り付けておき、苗植付部４が上昇するとセンターロータ２７ｂ及び左右のサイドロータ２７ａ，２７ａは下降するようにし、また苗植付部４が下降するとセンターロータ２７ｂ及び左右のサイドロータ２７ａ，２７ａは上昇するような構成としても良い。これにより、畦際旋回時にセンターロータ２７ｂ及び左右のサイドロータ２７ａ，２７ａを下降させて、旋回跡のみを整地することができる。この場合は、苗植付部４の上リンク４０が所定高さ以上に回動するとオンとなる昇降リンクスイッチ９２が作動すると制御装置１００がロータ上下動モータ７９の駆動制御を行う。この様な構成の場合はロータ上下動モータ７９を自動で作動させることができるので、操作性が従来技術に比べて向上する。
【００７５】
また、図３に示すように、整地ロータ２７ｂ寄りのロータ伝動ケース７３の外側と吊り上げアーム８１との間にはスプリング７８を設けて、センターロータ２７ｂ及び左右のサイドロータ２７ａ，２７ａを支持している。また、図１に示すように、センターロータ２７ｂ及び左右のサイドロータ２７ａ，２７ａの後ろ上方には、ロータカバー３７を設け、フロート５５，５６上に泥がかからないようにしている。
【００７６】
なお、苗植付伝動ケース５０の先端にアルミフレーム８９（図４、図３）を固着したので、整地ロータ２７や苗植付装置５２等をユニットとして支持枠体６５に着脱することができ、メンテナンス作業の際の着脱に要する時間や労力が軽減される。
【００７７】
前述のように、通常はロータ上下動モータ７９を作動させることで、センターロータ２７ｂ及び左右のサイドロータ２７ａ，２７ａは上昇される構成であるが、本実施例では、苗植付装置５２にエンジン２０の動力を伝達させるための畦クラッチ（図示せず）が畦クラッチレバー１４（図２）の操作により切りになると、ロータ上下動モータ７９が作動して自動的にセンターロータ２７ｂ及び左右のサイドロータ２７ａ，２７ａを下降させて整地作業を行わせる構成になっている。
【００７８】
そのために、畦クラッチレバー１４（図２）の入・切を検知する図示しない畦クラッチレバーセンサを設けている。
従って、枕地及びその近傍では植付条数あわせのために畦クラッチレバー１４の操作により畦クラッチを切りにしたときに、該畦クラッチレバーセンサ（図示せず）が畦クラッチレバー１４（図２）の切りを検出し、図示しない制御装置により自動的にセンターロータ２７ｂ及び左右のサイドロータ２７ａ，２７ａを下降させて整地作業を行わせることができる。
【００７９】
このことにより、圃場内において荒れやすい枕地又は枕地の近くを確実に整地することができる。
整地支持フレーム７６にレーキ８３の先端部を固着しているが、図１０のロータ部分の側面図に示すように、ロータを収納位置に上昇させたときには、整地支持フレーム７６が第１整地回動アーム７５ａにより上方に移動するので、レーキ８３の後端が跳ね上がる。こうしてロータを収納時にはレーキ８３による圃場面の均平作用が出来なくなる。
【００８０】
こうしてレーキ８３が圃場面を必要以上に均平化しないことで圃場面を荒らすこともなくなる。
【符号の説明】
【００８１】
２  走行車体
４  苗植付部
２７  整地ロータ（整地装置）
２７ａ サイドロータ
２７ｂ サイドロータ
５０  苗植付伝動ケース
５５  センターフロート
５６  サイドフロート
７５ａ 第１整地回動アーム
７５ｂ 第２整地回動アーム
７６  整地支持フレーム
７７  整地上下動装置
７９  ロータ上下動モータ（上下動アクチュエータ）
８０  扇形ギア
８１  ロータ上下動アーム（吊上げアーム）
【図１】
0005641096.tif 000002
【図２】
0005641096.tif 000003
【図３】
0005641096.tif 000004
【図４】
0005641096.tif 000005
【図５】
0005641096.tif 000006
【図６】
0005641096.tif 000007
【図７】
0005641096.tif 000008
【図８】
0005641096.tif 000009
【図９】
0005641096.tif 000010
【図１０】
0005641096.tif 000011
【図１１】
0005641096.tif 000012